(57)【要約】      （修正有）【課題】機械芯ケースの下圧力を弾性的に、垂直方向に保持しながら押圧スイッチに伝導できる、マッサージ装置の機械芯の押圧スイッチ緩衝構造を提供する。【解決手段】押圧スイッチ緩衝構造は、機械芯本体１０の固定板１３が機械芯ケース１２の下方に位置し、かつ複数のガイド孔を備え、機械芯ケースの底側に複数のガイド柱体が設けられ、ガイド柱体がガイド孔に可動的に挿通され、機械芯ケースと固定板の間に複数のばね１２２が設置され、機械芯ケースと固定板に、ばねの上下側を当接させて位置決めするための複数の位置決め溝１３２がそれぞれ設けられ、押圧スイッチ２０の一側が固定板に固定され、他側に伝動柱体２１が設けられ、伝動柱体の上側と機械芯ケースの底側の間に弾性体２３が設置される。機械芯ケースが圧力を受けて伝動柱体を下圧すると、弾性体、ばねの変形性と弾力作用、及びガイド柱体、ガイド孔の安定したガイド作用により、機械芯ケースの下圧の歪みを緩衝・分散する。【選択図】図２
0003215357.tif 000002
【実用新案登録請求の範囲】
【請求項１】
マッサージ装置の機械芯の押圧スイッチ緩衝構造であって、機械芯本体と、押圧スイッチを含み、
該機械芯本体は、マッサージヘッドと、機械芯ケースと、固定板を含み、該マッサージヘッドが該機械芯ケース上に設置され、該固定板が該機械芯ケースの下方に位置し、かつ複数のガイド孔を備え、該機械芯ケースの底側に該ガイド孔に対応する複数のガイド柱体が設けられ、該ガイド柱体がガイド孔に可動的に挿通され、該機械芯ケースと該固定板の間に複数のばねが設置され、かつ該ばねが該ガイド柱体に被着され、該機械芯ケースと該固定板に、該ばねの上下側を当接させて位置決めするための複数の位置決め溝がそれぞれ設けられ、
該押圧スイッチは一側が該固定板に固定され、他側に伝動柱体が設けられ、該伝動柱体の上側に、下平台と、弾性体と、上平台がこの順序で設置され、該上平台が該機械芯ケースの底側に配置され、
そのうち、該ガイド柱体が一端に相対的に大きい部分を備え、該ガイド孔が該相対的に大きい部分を係止するための段状部を備え、該ガイド柱体が該ガイド孔から離脱しないように構成され、
そのうち、該ガイド柱体にソフトカバーが被着されたことを特徴とする、
マッサージ装置の機械芯の押圧スイッチ緩衝構造。
【請求項２】
前記伝動柱体がねじ部材であることを特徴とする、請求項１に記載のマッサージ装置の機械芯の押圧スイッチ緩衝構造。
【請求項３】
前記押圧スイッチが、圧力トランスミッタから選択されることを特徴とする、請求項１に記載のマッサージ装置の機械芯の押圧スイッチ緩衝構造。
【請求項４】
前記上平台が該下平台より大きいことを特徴とする、請求項１に記載のマッサージ装置の機械芯の押圧スイッチ緩衝構造。
【請求項５】
前記機械芯本体が座体に設置されたことを特徴とする、請求項１に記載のマッサージ装置の機械芯の押圧スイッチ緩衝構造。
【考案の詳細な説明】
【技術分野】
【０００１】
本考案はマッサージ装置の機械芯に関し、特に、マッサージ装置の機械芯の押圧スイッチの緩衝構造に関する。
【背景技術】
【０００２】
経済の発展と、商工業時代の忙しい生活の中で人々は適切な屋外運動が不足し、またそのために多くの人が肥満または太りすぎになり、よく腰や背中の痛みなどの症状を感じることがある。このため人々は通常マッサージ器などで保健とフィットネスの目的を達している。
【０００３】
現在、一般的なマッサージ器の起動は大まかに手動と自動の方式が採用されている。そのうち自動方式は通常人体の予め定められた部位（例えば臀部）をマッサージ器に当てて重圧をかけると、マッサージ装置の機械芯が移動し、せん断型圧力トランスミッタなどの押圧スイッチが押されて圧力信号が生成され、圧力信号が制御回路に伝送されると、該マッサージ装置の機械芯の動作が自動制御される。
【０００４】
しかしながら、従来のマッサージ装置の機械芯はいかなる緩衝構造も設置されておらず、人体が当たってマッサージ器に重圧がかかるとき、マッサージ装置の機械芯は通常隨時垂直の下方向への押圧を保持することができず、歪んだ状態で押圧スイッチを直接下方向に押圧し、せん断の破壊が大きすぎて押圧スイッチの破損、不正確な感知といった状況が発生する。
【０００５】
上述をまとめると、従来のマッサージ装置の機械芯の押圧スイッチの構造はまだ理想的な状態とは言えず、改良の必要がある。
【考案の概要】
【考案が解決しようとする課題】
【０００６】
本考案の目的は、弾性体、ばねの変形性と弾力作用、及びガイド柱体、ガイド孔の安定したガイド作用により、機械芯ケースの下圧力を弾性的に、垂直方向に保持しながら押圧スイッチに伝導できる、マッサージ装置の機械芯の押圧スイッチ緩衝構造を提供することにある。
【課題を解決するための手段】
【０００７】
上述の目的を達するため、本考案は、機械芯本体と、 押圧スイッチを含み、そのうち、該機械芯本体が、マッサージヘッドと、機械芯ケースと、固定板を含み、該マッサージヘッドが機械芯ケース上に設置され、該固定板が該機械芯ケース下方に位置し、かつ複数のガイド孔を備え、該機械芯ケースの底側に該ガイド孔に対応する複数のガイド柱体が設けられ、該ガイド柱体がガイド孔に可動的に挿通され、該機械芯ケースと該固定板の間に複数のばねが設置され、かつ該ばねが該ガイド柱体に被着され、該機械芯ケースと該固定板に、該ばねの上下側を当接させて位置決めするための複数の位置決め溝がそれぞれ設けられるとともに、該押圧スイッチの一側が該固定板に固定され、他側に伝動柱体が設けられ、該伝動柱体の上側に、下平台、弾性体、上平台がこの順に設置され、該上平台が該機械芯ケースの底側に配置される。
【０００８】
機械芯ケースが圧力を受けて該伝動柱体を下圧すると、該弾性体、該ばねの変形性と弾力作用、及びガイド柱体、ガイド孔の安定したガイド作用により、機械芯ケースの下圧の歪みを緩衝・分散する効果を生じ、機械芯ケースの下圧力を弾性的に垂直方向に保持しながら押圧スイッチに伝導することができ、従来のマッサージ装置の機械芯が歪んだ状態で下圧されたとき、緩衝構造がないために押圧スイッチが直接下圧され、せん断の破壊が大きすぎて押圧スイッチが破損したり、不正確な感知が発生したりする状況を回避することができる。
【０００９】
以下この考案について説明する。請求項１に記載するマッサージ装置の機械芯の押圧スイッチ緩衝構造は、機械芯本体と、押圧スイッチを含み、
該機械芯本体は、マッサージヘッドと、機械芯ケースと、固定板を含み、該マッサージヘッドが該機械芯ケース上に設置され、該固定板が該機械芯ケースの下方に位置し、かつ複数のガイド孔を備え、該機械芯ケースの底側に該ガイド孔に対応する複数のガイド柱体が設けられ、該ガイド柱体がガイド孔に可動的に挿通され、該機械芯ケースと該固定板の間に複数のばねが設置され、かつ該ばねが該ガイド柱体に被着され、該機械芯ケースと該固定板に、該ばねの上下側を当接させて位置決めするための複数の位置決め溝がそれぞれ設けられ、
該押圧スイッチは一側が該固定板に固定され、他側に伝動柱体が設けられ、該伝動柱体の上側に、下平台と、弾性体と、上平台がこの順序で設置され、該上平台が該機械芯ケースの底側に配置され、
そのうち、該ガイド柱体が一端に相対的に大きい部分を備え、該ガイド孔が該相対的に大きい部分を係止するための段状部を備え、該ガイド柱体が該ガイド孔から離脱しないように構成され、
そのうち、該ガイド柱体にソフトカバーが被着される。
【００１０】
請求項２に記載するマッサージ装置の機械芯の押圧スイッチ緩衝構造は、請求項１における伝動柱体がねじ部材である。
【００１１】
請求項３に記載するマッサージ装置の機械芯の押圧スイッチ緩衝構造は、請求項１における押圧スイッチが、圧力トランスミッタから選択される。
【００１２】
請求項４に記載するマッサージ装置の機械芯の押圧スイッチ緩衝構造は、請求項１における上平台が該下平台より大きい。
【００１３】
請求項５に記載するマッサージ装置の機械芯の押圧スイッチ緩衝構造は、請求項１における機械芯本体が座体に設置される。
【図面の簡単な説明】
【００１４】
【図１】本考案の立体図である。
【図２】本考案の立体分解図である。
【図３】本考案の機械芯ケースと固定板間の内部構造を示す立体分解図である。
【図４】本考案の断面図である。
【図５】本考案のガイド柱体、ガイド孔の設置箇所の断面図である。
【図６】本考案のガイド柱体、ガイド孔の設置箇所の使用例を示す断面図である。
【図７】本考案の押圧スイッチ設置箇所の断面図である。
【図８】本考案の押圧スイッチ設置箇所の使用例を示す断面図である。
【図９】本考案の使用例及び部分断面図である。
【考案を実施するための形態】
【００１５】
図１、図２、図３、図４、図５、図７に示すように、本考案は機械芯本体１０と、押圧スイッチ２０を含む。以下で詳細に説明する。
【００１６】
該機械芯本体１０は、少なくとも１つのマッサージヘッド１１と、機械芯ケース１２と、固定板１３を含み、該マッサージヘッド１１が機械芯ケース１２上に設置され、該固定板１３が該機械芯ケース１２の下方に位置し、かつ複数のガイド孔１３１を備え、該機械芯ケース１２の底側に該ガイド孔１３１に対応する複数のガイド柱体１２１が設けられ、該ガイド柱体１２１がガイド孔１３１に可動的に挿通され、該機械芯ケース１２と該固定板１３の間に複数のばね１２２が設置され、かつ該ばね１２２が該ガイド柱体１２１に被着され、該機械芯ケース１２と該固定板１３に、該ばね１２２の上下側を当接させて位置決めするための複数の位置決め溝１２３、１３２がそれぞれ設けられる。
【００１７】
該機械芯ケース１２はモーター１２４と、複数のギアセット１２５を備え、マッサージヘッド１１を回動させる。
【００１８】
該押圧スイッチ２０は一側がねじ部材により該固定板１３に固定され、他側に伝動柱体２１が設けられ、該伝動柱体２１の上側に、下平台２２と、弾性体２３と、上平台２４がこの順序で設置され、該上平台２４が該機械芯ケース１２の底側に配置される。
【００１９】
一実施例において、該ガイド柱体１２１は一端に相対的に大きい部分を備え、該ガイド孔１３１が該相対的に大きい部分を係止するための段状部１３３を備え、該ガイド柱体１２１が該ガイド孔１３１から離脱しないように構成される。
【００２０】
一実施例において、該ガイド柱体１２１には弾性と緩衝の作用を増進するためのソフトカバー１２６が被着される。
【００２１】
一実施例において、該伝動柱体２１はねじ部材から選択され、該伝動柱体２１の高さを調整し、該押圧スイッチ２０の押圧感度を調整できるように構成される。
【００２２】
一実施例において、該押圧スイッチ２０は圧力トランスミッタから選択される。
【００２３】
一実施例において、該上平台２４は下平台２２より大きい。
【００２４】
一実施例において、該機械芯本体１０は安定性を増進するために座体３０に設置される。
【００２５】
以上のように本考案の各部構成部材及びその構成方法を説明してきたが、続いて本考案の使用上の特徴、効果を説明する。
【００２６】
図５、図６、図７、図８、図９に示すように、人体の臀部など予め定めた部位を当てて機械芯本体１０に重圧をかけると、機械芯ケース１２が圧力を受けて該伝動柱体２１を下圧し、該弾性体２３、該ばね１２２の変形性と弾力作用、及びガイド柱体１２１、ガイド孔１３１の安定したガイド作用により、機械芯ケース１２の下圧の歪みを緩衝・分散する効果を生じ、機械芯ケース１２の下圧力を弾性的に垂直方向に保持しながら押圧スイッチ２０に伝導することができ、従来のマッサージ装置の機械芯が歪んだ状態で下圧されたとき、緩衝構造がないために押圧スイッチ２０が直接下圧され、せん断の破壊が大きすぎて押圧スイッチ２０が破損したり、不正確な感知が発生したりする状況を回避することができる。
【符号の説明】
【００２７】
１０        機械芯本体
１１        マッサージヘッド
１２        機械芯ケース
１２１      ガイド柱体
１２２      ばね
１２３      位置決め溝
１２４      モーター
１２５      ギアセット
１２６      ソフトカバー
１３        固定板
１３１      ガイド孔
１３２      位置決め溝
１３３      段状部
２０        押圧スイッチ
２１        伝動柱体
２２        下平台
２３        弾性体
２４        上平台
３０        座体
【図１】
0003215357.tif 000003
【図２】
0003215357.tif 000004
【図３】
0003215357.tif 000005
【図４】
0003215357.tif 000006
【図５】
0003215357.tif 000007
【図６】
0003215357.tif 000008
【図７】
0003215357.tif 000009
【図８】
0003215357.tif 000010
【図９】
0003215357.tif 000011